Podtech/llm-jp-corpus-v4-ja_patent huggingface dataset:
(57)【要約】【課題】茸栽培の培地を籾殻破砕粒子・木質破砕粒子の多孔物質に含有させて得る菌床改良剤の製造方法は，高額な設備投資を押さえ、比較的簡単な装置を用い、常温作業、攪拌混合技術でもって大量生産することができ、諸効果のあることを特徴とした。【解決手段】本発明は、籾殻破砕粒子・木質破砕粒子を菌茸類の培地資材に製造し菌茸類の培地資材に使用することを特徴とし、菌床改良剤とその製造方法で上記諸課題を解決し、地域の天然資源を活用することにより地域事業を育成し、さらに地域の産業開発となる。【選択図】なし【特許請求の範囲】
【請求項１】
籾殻破砕粒子・木質破砕粒子の培地に含有させて得たことを特徴とする菌床改良剤とその製造方法。
【請求項２】
上記、多孔質の一定焼成粒子を含有させて得たことを特徴とする菌床改良剤とその製造方法。
【請求項３】
上記、多孔質の一定焼成顆粒に含有させて得ことを特徴とする菌床改良剤とその製造方法。
【請求項４】
上記、多孔質の一定焼成粉末に含有させて得たことを特徴とする菌床改良剤とその製造方法。
【請求項５】
前記、多孔質の請求項の１から５を用途に応じて比率含有攪拌混合を特徴とした菌床改良剤とその製造方法。
【請求項６】
菌床改良剤とその製造方法において本趣旨を逸脱しない汎用範囲の変更は、本発明に含まれる。
【発明の詳細な説明】
【技術分野】
【０００１】本発明は、茸栽培に関し、籾殻破砕粒子・木質破砕粒子を菌茸の培地資材・菌床改良剤に使用することを特徴とする。
【背景技術】
【０００２】茸栽培には、原木栽培、オガ粉に栄養添加とした菌床栽培方法を実施している。
【発明の開示】
【発明が解決しようとする課題】
【０００３】前記従来、原木培地は液体のまま用いられてきたが、液体の場合は，高額の容器、設備投資を要しているが、本発明の、顆粒、粉末加工によって簡単、確実、しかも添加、混合、攪拌攪が一体型でもって効果が得られる。【０００４】本発明は、このような実状に鑑みなされたものであり，微細な気孔に保持させる技術開発でその提供を目的とする。
【課題を解決するための手段】
【０００５】課題を解決するため、本発明技術は、有効成分を天然物質の多孔質構造に活用を図ったことによって茸栽培に合理的構成が得られ、この発明に到達した。
【発明の効果】
【０００６】以上のように、本発明技術は、籾殻破砕粒子・木質破砕粒子を菌茸培地資材に使用することの栽培方法で、安全、安心の有効成分を無駄なく発揮するのを目的とする。茸栽培において過大な設備、高額な操作技術を要せず主地域資源の利用技術を地域産業に貢献をする。【０００７】天然資材の有用な特徴と細孔部の活用は、栄養剤の吸水性・吸収性の向上・菌回りの促進・菌床体の形状・発芽状態の均一性等の保持効果に優れた用材を得ることができた。【０００８】茸栽培は、多孔質に液体物質を含有させることにより、安定、安全しかも経済性に優れた実用用材ができた。しかも、天然資材の活用から安定供給ができ、規模の自在設定ができることを特徴とする。
【発明を実施するための最良の形態】
【０００９】本発明の茸栽培は、多孔質資材活用によって、目詰まりのない特性効果を得る。【００１０】上記技術でもって、従来の資材に比べ保水性・吸水性・膨張性に富、栄養が均一に浸透する効果を得た。
【産業上の利用可能性】
【００１１】本発明の茸栽培方法は、自然環境に育まれ、生産コストを抑えたのもとでの人工栽培における菌茸類培地資材に関するものである。菌床栽培による培地資材の新開発において籾殻破砕粒子・木質破砕資材の菌床改良材は、籾殻の有効利用となり、容易に安価に安定供給から経済効果が期待でき、茸栽培の合理化ならびに作業能率に関する。
(57)【要約】【課題】本発明の屋上緑化倍土製造種子攪拌吹付機は、無線操縦制御装置を備え、連結システム構造の伝導駆動機を決定とした一連が維持でき、作業を迅速に行うことが可能なことから作業性・能率性・効率性・生産性の向上を提供する。【解決手段】従来、トラブルによる屋上緑化培養土とその製造方法の作動停止や危険極まりない作業条件を本発明の屋上緑化倍土種子攪拌吹付機によって、安心・安全、しかも、一人の集中操作で省力化を図り、無線操縦作業により、作業性・能率性・効率性・生産性の向上が得られる。【選択図】なし【特許請求の範囲】
【請求項１】
屋上緑化の培養土とその製造方法は、多孔質の珪藻土・籾殻・木質破片の炭化物粒状生成してなる均一粒状・異なる粒状・粉末を備えた培養土を特徴とする。
【請求項２】
上記記載に基づき屋上緑化培養土の種子攪拌吹付機に無線操縦機能装置を備えたことを特徴とする。
【請求項３】
請求項１、２によっての屋上緑化培養土は、上記の原料を１，０００度以下の温度で焼成し、２ｍｍアンダ−の分別・炭化の培養土を一種類・二種類以上の混合・分別混合とした製造方法を特徴とする。
【請求項４】
請求項１から請求項３における機能を備え、自在に移動ができる構造を特徴とする。
【請求項５】
屋上緑化の培養土とその製造方法構造は、本発明趣旨を逸脱しない範囲の変更は、本発明に含まれる。
【発明の詳細な説明】
【技術分野】
【０００１】本発明は、屋上緑化緑化の培養土とその製造方法に関するものである。
【背景技術】
【０００２】従来、屋上緑化の培養土の多種類・不均質・混合質体は成果・効果に不確定要素があった。作業は手作業が大半を示しており、作業能率・危険な箇所の作業は、無線操縦が望まれていた。
【発明の開示】
【発明が解決しようとする課題】
【０００３】本発明は、上述の解決課題を多孔質の珪藻土・籾殻破砕・木質破砕の炭化素材を基材とした安定した均質の性能・成分の屋上緑化の培養土製造・種子攪拌吹付制御無線装置を製造し、作業性・能率性・効率性・生産性向上を図る。【０００４】上記構造成形は、事故防止・安心・安全な屋上緑化培養土とその製造・種子攪拌吹付を無線操縦装置の駆動手段で迅速な処理ができる。
【問題を解決するための手段】
【０００５】この発明は、屋上緑化種子攪拌吹付を無線制御装置の伝導駆動システムに連結機構を搭載し、構成されていることを特徴とする。
【０００６】本発明は、屋上緑化の培養土を多孔質体の特性、表面積の大きさが、保水性・吸着性・透水性・通気性、さらに塩素除去機能・除菌機能・消毒機能等に自然発酵促進効果を特徴とした屋上緑化培養土を提供する。
【０００７】上記屋上緑化培養土とその製造システム構造は、無線操縦によって制御されることを特徴とする。
【発明の効果】
【０００８】本発明の屋上緑化倍土とその製造は、上述のように、多孔質体の性能・効能の活用にあり、無線操縦を物理的作用連結システムの伝導駆動構成構造を完成させた屋上緑化倍土、緑化種子攪拌吹付を迅速に作業ができる作業性・能率性・効率性・生産性の向上が得られる。
【０００９】本発明は、多孔質炭化物に生菌・各種微生物・バイオ技術剤等自然発酵促進を可能とした屋上緑化培養土とその種子攪拌吹付作業能率は向上することを特徴とする。
【００１０】本発明は、無線操縦作業を可能とすることから、ロボット作業量に対応した作業能率・安心・安全を提供する。
【発明を実施するための最良の形態】
【００１１】本発明の屋上緑化培養土とその製造は、種子攪拌吹付制御装置を備え、自在の移動に適合した整合構造を備えている。さらに、伝導駆動システムの構造で連結できる。【００１２】本発明の屋上緑化培養土・種子攪拌吹付機の実施形態は実施済であり、システム構造を決定する一連の機能構造をもつ全体構造を維持する。各機能に連結された実施例であり多くの詳細形態は加えられる構造は、本発明の趣旨を逸脱しない範囲の変更は、本発明に含まれる。
【産業上の利用可能性】
【００１３】本発明の屋上緑化倍土種子攪拌吹付機は、無線操縦式の装置を備え、機能的にロボット対応を可能とした構造のシステム化を提供するものである。よって作業性・能率性・効率性・生産の向上が得られる。
(57)【要約】【課題】耕栽培培養土とその製造を有機汚泥物醗酵促進方法に関し、珪藻土・籾殻破砕・木質破砕の多孔質体をもつ素材の状態を最大限に保持できる炭化物を焼成し、比表面積の大きい特性を活用し、保水性、吸着性、透水性、通気性等機能が十分発揮でき、さらには、塩素除去、除菌、消毒機能を特徴とした。【解決手段】水耕栽培培養土は、多孔質の珪藻土・籾殻破砕・木質破砕から有益機能を効率よく発揮できる炭化物を備えた。本発明は、ミネラル成分補給効果、肥料濃度の和らげ効果のあるバラツキの少ない均質良質な水耕栽培培養土とその製造方法の提供ができる。【選択図】なし【特許請求の範囲】
【請求項１】
珪藻土・籾殻破砕・木質破砕を焼成し、炭化物の粒状物を生成する工程を、用途に応じて均一粒状、もしくは異なる粒状、粉末を適用とする水耕栽培培養土とその製造方法。
【請求項２】
上記工程は、珪藻土・籾殻破砕・木質破砕を１，０００度以下の温度で焼成し、特に２ｍｍアンダーに分別、炭化することを特徴とした水耕栽培培養土とその製造方法。
【請求項３】
上記粒状物集団を炭化した炭化物は、焼成珪藻土９０から４０重量％で炭化籾殻破砕・木質破砕１０から６０重量％の水耕栽培培養土とその製造方法。
【請求項４】
請求項１、２、３の炭化物が、一種類、又は一種類以上の混合、分別混合してなる水耕栽培培養土とその製造方法が本発明の趣旨構造を逸脱しない範囲の変更は本発明に含まれる。
【発明の詳細な説明】
【技術分野】
【０００１】本発明は、珪藻土・籾殻破砕・木質破砕の天然素材を炭化物とする水耕栽培培養土とその製造に関する。
【背景技術】
【０００２】従来、水耕栽培培養土は、多種類、不均質、異なる発生場所による混合質体は、組成、製造過程においてのバラツキの発生は免れない。さらに成分、効果に不確定要素がある。
【発明の開示】
【発明が解決しようとする課題】
【０００３】水耕栽培培養土が、化学製品である場合は、使用前の在庫時や使用後の処理に経済上および環境上に難点がある。【０００４】水耕栽培培養土の炭化物を高温化に活用する場合に、より微細に、より多くの表面積をもって燃焼することが必要である。【０００５】天然素材の珪藻土・籾殻破砕・木質破砕の素材を基材にした炭化物の安定した均質の性能、成分の良質な水耕栽培培養土を提供する。
【課題を解決するための手段】
【０００６】焼成珪藻土・籾殻破砕・木質破砕の多孔質体、細孔構造部分に炭化物を付着させることにより多孔質体を基材とした炭化物を製造し通気性のよい袋体に詰め込んで２週間ほど複数段に積み重ね効果で自然醗酵促進を可能とした水耕栽培培養土とその製造方法。【０００７】本発明の水耕栽培培養土は、表面積の大きさが、保水性、吸着性、透水性、通気性、さらには、塩素除去機能、除菌機能、消毒機能と醗酵効果の活用を特徴とした。
【発明の効果】
【０００８】本発明の水耕栽培培養土は、珪藻土・籾殻破砕・木質破砕素材の多孔質と表面積の大きさを活用し、炭素炭化物を付着させる技術は高性能が発揮され、安定供給を可能とし、経済負担も少なく、しかも製造工程は特別な技術を要しないのが特徴。【０００９】本発明の炭化物多孔質体に、生菌、各種微生物、バイオ技術剤等用材を含浸させることによる水耕栽培培養土とその製造方法。【００１０】珪藻土・籾殻・木質破砕は、安定供給が可能であり、しかも安価を特徴とした水耕栽培培養土。【００１１】本発明の水耕栽培培養土の原料は、天然素材成分であり有害物質は発生しない。特有の微細空隙が保持された状態で炭化されることから多孔質体を保持することができる。【００１２】本発明の水耕栽培培養土の製造技術は、自然発酵の促進によるもので、高度技術を要しない混合成形であり、先進的な環境浄化と産業上の利用に貢献する。
【発明を実施するための最良の形態】
【００１３】本発明の水耕栽培培養土は、自然発酵の促進により安定供給のできる天然素材の利活用で環境に優しいのが特徴である。【００１４】水耕栽培培養土は、炭化物の混合成形であり付着することでの形態である。【００１５】多孔質体に生菌、各種微生物、バイオが自然含浸されることの単純さと合理的な成形製造による水耕栽培培養土とその製造方法。【００１６】この実施例については、多孔質体の細孔構造や表面化学特性の部分に炭素を付着とした特異性の吸着剤の発明に関する水耕栽培培養土とその製造技術を特徴する。
【産業上の利用可能性】
【００１７】本発明の実施に係わる炭化物の製造方法は、珪藻土・籾殻破砕・木質破砕を焼成して炭化した炭化物の自然発酵の水耕栽培培養土とその製造方法である。【００１８】珪藻土・籾殻破砕・木質破砕等を粉砕し、粒状物を細分化し集団粒にした水耕栽培培養土とその製造方法。【００１９】上記、炭化物は、水耕栽培培養土とその製造の適汎用性は大幅な利活用ができ有能性が発揮される。【００２０】本発明は、環境の負荷を考慮した水耕栽培培養土とし、堆肥に混合することに有用である。
(57)【要約】【課題】  釣り竿には釣りの対象魚に応じて竿の調子、しなやかさの違いがある多種の竿が開発されている、多種の釣りで釣果を上げるには調子の違う何本もの釣り竿が必要になってくる。  一本の竿で調子を可変出来る釣り竿の開発をする。【解決の手段】  釣り竿の多くは対象魚により釣り竿の先から胴に掛けての調子、しなやかさに違いが有る、この竿の調子が可変出来れば数種の釣りに一本の竿で対応が出来る、そこで中空構造の釣り竿の手元付近を先竿がもと竿内部滑り込むスライド構造を設け、もと竿後部に固定した細い心竿を穂先付近まで通し、心竿の入った二重構造部と心竿の到達していない中空構造部をつくり、先竿をスライド構造で伸ばしたり縮めたりする事により、穂先内で心竿先端が到達する長さを変え、先竿のしなやかさを可変出来るようにした。【選択図】図１
2011212005.tif 000002
【特許請求の範囲】
【請求項１】
中空構造の釣り竿で、もと竿の手元付近に先竿のもと部が入り込む構造を持ち、この竿の空洞内に、もと竿後方内部に固定した細身の心竿を穂先方向に通し、先竿を、もと竿内にスライドさせることにより先竿内部で心竿が到達していない完全空洞の長さを変化させ、先竿の硬度やしなやか度を可変出来る２重構造の釣り竿。
【発明の詳細な説明】
【技術の分野】
【０００１】  本発明は、一本の釣り竿で先竿の調子（しなやか度）を変える事が出来る事により多様な釣りに対応出来る釣り竿に関する。
【背景の技術】
【０００２】  今日の釣りでは釣りの対象漁に応じた多種の釣り竿が開発されている、おおくの魚種に合った釣りをするためには何本もの釣り竿が必要になる、しかしその大半の釣り竿の特色は先竿のしなやか度、即ち調子の違いにある。
【発明の開示】
【発明が解決しようとする課題】
【０００３】  一本の釣り竿で先竿のしなやか度を幅広く変える事が出来れば釣り魚の種類が多い沖釣りには大変便利であり、一本の竿で幅広い釣りの出来る竿の実現が課題である【０００４】  本発明は、この課題を解決するため釣り竿の竿先付近を構造的に変化させ、しなやか度を可変させる釣り竿の実現を目的とする。
【課題を解決するための手段】
【０００５】  本発明は、上記の目的を達成するため、中空構造の釣り竿の中にもう一本の細い竿（心竿）を穂先付近まで通し、この心竿を前後に動かす事で心竿により強度及び硬度を増している部分の長さが変化して竿先のしなやか度を変化させるようにした。【０００６】  本発明は、上記の心竿を先竿の中でスムーズに効果的に動かすために、もと竿の中に先竿のもと部が出入りするスライド構造を設け、ここを伸び縮みさせることにより竿全体の長さを変化させ、尻栓に固定した心竿の先端が先竿内で穂先方向に到達する空間距離を変化させる様にした。【０００７】  本発明は、細い心竿が先竿の中で不安定振動を起こすのを防ぐため、心竿の数カ所に摩擦抵抗の少ないソフトパッキンを装着した。
【発明の効果】
【０００８】  本発明は、スライド部分を伸ばさず竿本体が一番短い状態の時は先調子の竿として魚信を取りやすい竿になり、スライドをいっぱいに伸ばせばしなやかな部分が長くなり魚の大きな引き込みに対応しやすくなる、そしてスライドの伸ばし加減で対応の幅も広くなる。【０００９】  本発明は、心竿を尻栓部にネジ込み固定する事で、柔軟度・強度等の異なる心竿の交換が容易に出来る様にした。
【図面の簡単な説明】
【００１０】
【図１】全体図
【図２】心竿図
【図３】Ａ−Ａ図
【符号の説明】
【００１１】    １  心竿
２  先竿
３  もと竿
４  尻栓
５  ソフトパッキン
６  パッキン
７  先竿抜け止め部
８  ネジ部
９  グリップカバー
１０  トップガイド
１１  エアー抜き孔
【補足説明】
【００１２】  中間ガイド図・パイプシート部図記載省略
【図１】
2011212005.tif 000003
【図２】
2011212005.tif 000004
【図３】
2011212005.tif 000005
(57)【要約】【課題】獣毛や合成繊維よりなる毛を束ねたブラシ穂を備えた化粧用ブラシにおいて、ブラシ穂の穂先の表面に例えばパンダの図柄模様を表わして装飾性に富むブラシを提供する。【解決手段】着色した黒い毛と白い毛を配合して、耳部４を含む顔５の部分と、目６とを白い毛で、目６の周りの部分７、鼻部分８、口部分９及び顔５の周りの部分１１を黒い毛とすることによりパンダの図柄模様がブラシ穂１の根元から毛先に至るまで金太郎飴的に形成する。【選択図】図２
2011212416.tif 000002
【特許請求の範囲】
【請求項１】
獣毛や合成繊維よりなる毛を束ねたブラシ穂を備えた化粧用ブラシにおいて、着色した毛を配合することにより、ブラシ穂の穂先表面に図柄模様を表わすようにしたことを特徴とする化粧用ブラシ。
【発明の詳細な説明】
【技術分野】
【０００１】
本発明は、化粧用ブラシや洗顔用ブラシ（以下、これらのブラシを総称して単に化粧用ブラシという。したがって本発明において、化粧用ブラシとは、洗顔用ブラシを含むものとする）に関する。
【背景技術】
【０００２】
化粧用ブラシは、獣毛や合成繊維よりなる毛を束ねたブラシ穂と、樹脂、金属又は木製のブラシ軸と、ブラシ穂をブラシ軸に固定するための口金とで構成されていることが多いが、ブラシ穂の根元をブラシ軸に挿入して固定したものも知られる。
【０００３】
こうした化粧用ブラシのなかには、ブラシ軸や口金にスクリーン印刷やホットスタンプ等を施して金属光沢を持たせたり、木目や種々の模様を付けたブラシ、或いはブラシ軸を透光性を有する部分と、該部材内に挿入される着色模様を施した芯材とで構成して立体的な模様を呈するようにしたブラシなどが知られ（特許文献１）、ブラシ穂を側面視でハート形にしたブラシも知られる。
【先行技術文献】
【特許文献】
【０００４】
【特許文献１】特開２００５−１７６８６３号
【発明の概要】
【発明が解決しようとする課題】
【０００５】
本発明は、穂先の表面に図柄模様を表して装飾性に富んだ化粧用ブラシを提供することを目的とする。
【課題を解決するための手段】
【０００６】
本発明は、獣毛や合成繊維よりなる毛を束ねたブラシ穂を備えた化粧用ブラシにおいて、着色した毛を配合することにより、ブラシ穂の穂先表面に例えばパンダ等の動物、人気アニメ、花等の図柄模様を表わすようにしたことを特徴とする。
【発明の効果】
【０００７】
本発明の化粧用ブラシによると、ブラシ穂は着色した毛を配合して束ねることにより断面が金太郎飴的な図柄模様となり、毛先表面も同様な図柄模様を呈し、装飾性に富むブラシとなる。
【図面の簡単な説明】
【０００８】
【図１】化粧用ブラシの正面図。
【図２】同化粧用ブラシの拡大平面図。
【発明を実施するための形態】
【０００９】
以下、本発明の実施形態の化粧用ブラシについて図面により説明する。
図１は、獣毛又は合成繊維よりなる毛を束ねたブラシ穂１と、該ブラシ穂の根元が挿入して固定されるブラシ軸２よりなる化粧用ブラシ３を示すもので、ブラシ穂１はブラシ軸２に筒状の口金で固定するようにしてもよい。
【００１０】
図２は、ブラシ穂１の毛先の表面を示すもので、着色した黒い毛と白い毛を配合して、例えば耳部４を含む顔５の部分と、目６とを白い毛で、目６の周りの部分７、鼻部分８、口部分９及び顔５の周りの部分１１を黒い毛とすることによりパンダの図柄模様がブラシ穂１の根元から毛先に至るまで金太郎飴的に形成されている。
【００１１】
前記実施形態では、黒い毛と白い毛を配合することによりパンダの図柄模様を形成するようにしているが、例えば耳部４や目６の周りの部分にピンクに着色した毛を配合してカラフルな図柄模様にすることもできる。
【００１２】
前記実施形態ではまた、ブラシ穂１の毛先の表面にパンダの図柄模様を表わしているが、例えば他の動物の図柄模様、人気アニメの図柄模様、バラ、桜等の花の図柄模様を表わすようにしてもよい。
【符号の説明】
【００１３】
１・・ブラシ穂
２・・ブラシ軸
３・・化粧用ブラシ
４・・耳部
５・・顔
６・・目
７・・目の周りの部分
８・・鼻部分
９・・口部分
１１・・顔の周りの部分
【図１】
2011212416.tif 000003
【図２】
2011212416.tif 000004
(57)【要約】【課題】  カードをカードリーダーに接触させるときの動作をよりしやすくするためにスタンパー機能付きのカードケースを提供する。【解決手段】  出し入れ可能な開閉部のついたカードケースの一カ所に指の拠り所となる突起する箇所を設け、磁気等による読み取りを簡単かつ確実にするスタンパー機能付きカードケース。【選択図】図１
2011212411.tif 000002
【特許請求の範囲】
【請求項１】
出し入れ可能な開閉部のついたカードケースの一カ所に指の拠り所となる突起する箇所を設け、磁気等による読み取りをスムーズかつ確実にするスタンパー機能付きカードケース。
【発明の詳細な説明】
【技術分野】
【０００１】  本発明は磁気などによる情報内蔵のカードを入れるケースにスタンパー機能を付加したスタンパー機能付きカードケースに関するものである。
【背景技術】
【０００２】  従来、カードを保護するためのカードケースがあった
【発明の概要】
【発明が解決しようとする課題】
【０００３】  そのために次のような問題点があった。
（イ）情報内蔵のカードをカードリーダーに押しつけるとき、これといった指の拠り所がないまま、不自然な形で押しつけるため、スムーズな読み取りが難しいことが多かった。
（ロ）カードケースに入れた場合も（イ）と同様、もしくは、カードケースの厚みにより、読み取りがさらに困難になることさえも多かった。
いずれの場合も、たとえば、通勤ラッシュ時の改札口で読み取り不可能だった場合などは、音と共に点滅がおき、しばしの間読み取り機能が停止してしまう。
このため、本人はもとより、後続の人々も別の改札口に移動することを余儀なくされる。
この迷惑のもととなった人に周囲は、不快な感情を抱き、また、当の本人も故意にしたことでもないのに迷惑がられることで肩身も狭く非常に困惑する。
このような光景が日常的に見られた。
皮肉なことに、上記はすみやかに改札を通らなくてはならない、と強く感じる混雑時ほど、問題が起きやすく、万人にとってのひとつのストレスとなっていた。
本発明は、これらの問題点を解決するためになされたものである。
【課題を解決するための手段】
【０００４】  出し入れ可能な開閉部のついたカードケースの一カ所に指の拠り所となる突起する箇所を設け、磁気等による読み取りをスムーズかつ確実にするスタンパー機能付きカードケース。
【発明の効果】
【０００５】  強い力でカードを読み取り部分にたたきつけなくても指を突起部に添えることにより確実に読み取りを行わせることができる。
改札口などでのスムーズな通行を可能にするこのスタンパー機能付きカードケースにカードを入れて携行することの二次的効果として、現在カードケースを使用せずにむき出しのままカードを携行している人がカードを紛失したり、あるいは、財布に入れてカードを携行している人が、何度も財布を出し入れすることにより、誘発される財布の紛失、スキミング被害を減らすことが挙げられる。
【図面の簡単な説明】
【０００６】
【図１】  本発明の説明図である。
【図２】  本発明の使用状態を示した説明図である。
【発明を実施するための形態】
【０００７】  以下、本発明の実施の形態について説明する。
（イ）指が触れやすい部分に収納に邪魔にならない高さの突起箇所を設ける。
（ロ）カードの出し入れ口に、さらに連結するリングなどをつなぐ、もしくは、直接チェーンなどをつなぐことにより、カードケース落下による紛失を防ぐことができる。
鈴などをつければ容易にカードの在所を特定することができる。
【符号の説明】
【０００８】  １  つまみ
２  ヒモ
３  リング
４  チェーン
【図１】
2011212411.tif 000003
【図２】
2011212411.tif 000004
(57)【要約】【課題】本発明は、吸汗性・通気性素材の靴・スリッパ・サンダル等の履物の中敷に銀イオン・銅イオンをシート加工することで防臭・除菌機能を高め、通年使用を可能とした中敷・中敷構造を備えた抗菌・防臭を提供する。【解決手段】本発明の中敷・中敷構造は、悪臭を吸収し・湿気調製をし、銀イオン・銅イオンは、人体の細胞を活性化し、血流を促進し、各細菌の繁殖を防止することで健康の提供を目的とする。【選択図】なし【特許請求の範囲】
【請求項１】
靴・スリッパ・サンダル等の履物の中敷にマイナスイオン物質と磁気の生成を取り入れたことを特徴とする履物の中敷。
【請求項２】
靴・スリッパ・サンダル等の履物の中敷は、天然繊維・合成繊維・その混紡繊維・不織布の単一、若しくは複合の積層体に請求項１を混合物質とした履物の中敷。
【請求項３】
請求項１に請求項２記載を接着層に成形とした履物の中敷。
【請求項４】
前記素材は、吸汗性・通気性素材より構成されることを特徴とし、抗菌・防臭効果があり、請求項１から請求項３の記載には、なんら皮膚に害はない。
【請求項５】
前記、複合抗菌作用が吸汗性・通気性に優れ本発明趣旨を逸脱しない範囲の変更は、本願発明に含まれる。
【発明の詳細な説明】
【技術分野】
【０００１】本発明は、靴・スリッパ・サンダル等履物の中敷の抗菌・消臭に関する。
【背景技術】
【０００２】靴・スリッパ・サンダル等履物の構造は、吸汗性・通気性に欠けることから、その中は各種の雑菌の繁殖に適した条件となる。また冬季には靴の底冷え・夏季には足蒸れが発生し、血液循環をこじらせると回復に数ヶ月にも及ぶ場合があり、創傷感染の危険があり完治まで長期間を要している。
【発明の開示】
【発明が解決しようとする課題】
【０００３】本発明で解決しようとする課題は、靴・スリッパ・サンダル等の履物の中敷が吸汗性・通気性・防水・吸水・抗菌・防臭・底冷え・足蒸れ効果に優れ、それの中敷が、あらゆる形状に対応することができ、しかも安価にて提供することにある。【０００４】人間体内の血流はニュウトンの引力の関係から心臓から離れた足先に血流が滞留し、足のむくみ・足の重さ感・疲労感・底冷え・足蒸れから各種雑菌が繁殖することから、本発明により、健康体を提供しようとするものである。
【課題を解決するための手段】
【０００５】上記目的を達成するための本発明は、底冷えしない・足蒸れしない防臭解消の靴・スリッパ・サンダル等の履物の中敷及び中敷構造の開発をした。天然繊維・合成繊維・その混紡繊維・不織布の下部に、銅・銀をコ−ティングし、良導電性のイオン効果を高め、人体血中のミネラル成分に作用し、血清中の細胞配列を整え・血液の流動を促進させることは、公知になっている。人体全身の器官・機能を活性化し、全身の新陳代謝を促進し健全な身体を提供目的とする。
【発明の効果】
【０００６】本発明技術は、中敷を無駄なくマイナスイオンと磁気効果が発揮され、持続性に優れ、効能効果を相乗的にベースとしていることから皮下血液の血流促進に効果をあたえる結果に至り、健康体をする。【０００７】本発明の多孔質な細孔部の保湿機能保持効果は、足蒸れからの各種雑菌繁殖から悪臭を放つだけでなく水虫などの伝染原因ともなっており、検討の結果、課題解決を見いだすことができ本発明を完成させるに至った。
【発明を実施するための最良の形態】
【０００８】本発明は、市販の履物の中敷に本発明の中敷を重ね合わせ、カーペット用の両面テ−プを貼り付け固定することで効果が得られた。使用個所に応じて逢着形成することにより接着形成、自在対応を特徴とした【０００９】単一製品、連結製品、そのサイズの大小・厚み・薄さは、製品成型を可能とした。【００１０】上記作用をより効果的にするには、公知のニュートンの引力から、外出の時にコップ−杯のミネラルウオ−タ−を飲むことにより血流循環を促進され、本発明の効果が顕著であり、さらなる抗菌効果・防臭効果を発揮する。
【産業上の利用可能性】
【００１１】本発明は、夏季の汗による足蒸れ悪臭防止、冬季の血液循環の促進と、通年の快適な履物に関する。靴・スリッパ・サンダル等の履物の中敷に銀イオンシ−ト・銅イオンシ−トを加工することで抗菌・防臭機能を高める中敷・中敷構造を提供する。
このことの用途の規模範囲・需要は計り知れない。
(57)【要約】【課題】本発明は、バイオトイレの屎尿処理の効果・効率・安価を図る。おが屑粒子による処理剤の基材開発である。バイオトイレから起因する屎尿処理の分解技術、封じ込め消化・消滅・低減分解技術を提供することにある。しかも、屎尿のほとんどが液体である。おが屑の空隙の特性から水分蒸発の促進効果がある。おが屑内で繁殖した微生物により屎尿は、二酸化炭素・水・窒素化合物に分解される。ことの処理を特徴とする。【解決手段】おが屑を製法加工、物理的処理をすることによって多孔質化が実現できる。バイオトイレの屎尿物質の分解・消化・消滅処理剤は能力技術の開発であり、おが屑の粒子に付着させての封じ込め消化・消滅効果は微生物の働きによる。さらに、本発明のおが屑を補充・補填後において、取り除く省力化をもって解決とする。【選択図】なし【特許請求の範囲】
【請求項１】
おが屑の粒子を多孔質構造に製法、加工しバイオトイレの屎尿の嫌気状態を封じ込め、消化・消滅・低減分解処理技術を特徴とする。
【請求項２】
おが屑の粒子を処理剤、加熱、乾燥処理を施したことを特徴とする。
【請求項３】
おが屑の粒子に好気性菌の繁殖培養助長を可能とすることを特徴とする。
【請求項４】
おが屑の粒子に付着するバイオトイレの屎尿性質をとらえ、とらえた物質を袋体またはストックヤード・ピット装置内の粒子に残留・担持・保有をさせ、脱水作用で水分を透過させ、付着物の有害物質の封じ込め・消化・消滅・低減分解処理方法を特徴とする。
【請求項５】
バイオトイレの用材をもって、一種または複種類からなる有害物質の封じ込め・消化・消滅・低滅分解処理方法を特徴とする。
【請求項６】
前記袋体は、好ましくはポリエステル、ポリプロレン等化学繊維で成形された透水性袋体の使用が望ましい。
【請求項７】
前記透水性袋体は、好ましくは数枚重ね入れた多重袋体の効果は発揮される。
【請求項８】
請求項４に請求項１から３の透水性のあるおが屑の粒子に透水してなる浄化方法を上記に取り入れた嫌気物質の封じ込め処理方法。
【請求項９】
上記、おが屑粒子に付着した有害物を封じ込めた袋体は所定の基準を満たした指定された場所内に封じ込める、請求項１から７の１項または複数項記載の嫌気物質処理方法。
【請求項１０】
上記においての趣旨を逸脱しない範囲の変更は、本発明に含まれる。
【発明の詳細な説明】
【技術分野】
【０００１】本発明は、バイオトイレの屎尿処理に寄与する微生物が繁殖しやすい担体処理剤の処理基材ならびにそのおが屑の粒子に付着反応する性質を取り入れた消化・消滅・低減分解処理技術に関する。
【背景技術】
【０００２】従来、バイオトイレの糞尿処理剤は、周辺の製材所から搬出される資材を使用している。しかし、嫌気状態の糞尿混合体のウリアーゼが尿素分解し、アンモニアと炭酸ガスを生成するが、アンモニア発生の元の尿素にはバクテリアは存在しない。したがって、屎と尿の分離機能・作用が従来使用の製材所からの加工のなされていないおが屑バイオトイレの屎尿処理剤として用いている。【０００３】かかる問題処理として各種技術開発がなされてきた。しかし、バイオトイレの屎尿対策として十分な処理対策に至っていない。
【発明の開示】
【発明が解決しようとする課題】
【０００４】本発明は、おが屑の粒子を多孔質化処理することにより、好気性菌の繁殖宿培養によって浄化効果が得られる。その浄化処理基材とその製造方法の発明。
アンモニアを含む嫌気状態の屎尿混合体から嫌気を吸着し微生物・細菌類を自然分解させることにより微生物担体の栄養分に変えることによって、分解浄化する。【０００５】おが屑は、森林間伐材・道路工事・流木等の木材資源の有効活用を図ることによる資源リサイクルになる。この新技術は、環境ホルモンを含む処理用途に拡大できる。【０００６】本発明は、おが屑の粒子に微生物が繁殖しやすい有用性の担体となるを請求項１から３の提供を目的とする。【０００７】請求項４は、本発明のおが屑粒子に付着する性質をとらえ、おが屑粒子に残留・担持・保有をさせ、脱水作用で水分を透過させ、付着物を封じ込め、ならびに排水基準値を下回る処理方法を可能とする。
【課題を解決するための手段】
【０００８】上記の課題を解決するには、バイオの屎尿対策については、数多くの提案がなされ実用化されているものの、使用後のおが屑取り出し作業と搬出作業を必要とし、費用と人力を必要とする問題があった。【０００９】おが屑粒子を多孔質加工にすることの効果は、表面積、空隙率の多孔質構造機能を活用したことを特徴とする。
本発明のバイオトイレの屎尿処理剤は、し尿を消化・消滅・低減分解する環境浄化剤であり環境汚染はない。【００１０】本発明の浄化処理基材の有効性は資源循環型社会の推進とする。【００１１】本発明によって汚水・汚泥処理・産業・畜産業のし尿処理においても対応し有効活用は確立される。
【発明の効果】
【００１２】本発明によって、天然素材のおが屑粒子の利活用は、有用な特徴と細孔部に吸着保持された微生物の相乗効果により、環境改善剤を得ることができた。天然資源を有する特性から、独自効果の大きい作用が発見された。【００１３】さらに環境改良剤として、持続的効果の得られることが発見された。【００１４】有用な微生物がおが屑の多孔質体に付着・浸潤されバイオトイレの屎尿分解処理ができることから処理後、おが屑の取り出し作業を必要としない。
本発明によるバイオトイレの屎尿処理剤は、安心・安全性・経済性ともに優れ、低コストで、しかも、実用に優れた従来にない環境用剤を供することができる。【００１５】上記のおが屑粒子効果は、嫌気物質を封じ込め、減溶化できる。また脱水に伴っての排出水は、環境基準値を下回る。
【発明を実施するための最良の形態】
【００１６】本発明のおが屑の粒子を汚水に接触することで嫌気物質が吸着、付着され封じ込められる。固液分解によるＢＯＤ減少反応がおき分解される。【００１７】さらに、固液分解のＳＳ，ＢＯＤは水分反応となった。【００１８】このことは、醗酵分解消化の条件から無数の菌、微生物菌が発生した。【００１９】発生した菌、微生物菌は、ＳＳ，ＢＯＤ源を分解消化によって二酸化炭素と水に分解される。【００２０】このような多面性のあるおが屑粒子によって浄化され、炭酸ガスと水になる。【００２１】本発明の前述処理剤は天然多孔質物質をベースとする。【００２２】前述処理物質の封じ込めの袋体は、好ましくはポリエステル、ポリプロレン等の化学繊維で成形された透水性袋体の使用が望ましい。【００２３】前記、透水性のある袋体を好ましくは、数枚重ね入れた多重袋体にする効果は、重ねると透過孔が小さくなり濾過効果と水と移動する物質がおが屑粒子に封じ込まれる。【００２４】上記に、透水性のあるおが屑粒子に透水してなる浄化方法を取り入れた前述物質処理方法。
【産業上の利用可能性】
【００２５】本発明に係るバイオトイレの屎尿処理剤は、嫌気状態の封じ込め・消化・消滅・低減分解処理技術を提供し、おが屑を補填・補填をすることで、取り除きの省力化がはかれることを特徴とする。それを可能としたのがおが屑であり、たかが、おが屑は、水を使わないトイレとして、まさに時代の要請であり、地球規模の世界の水源保全・国土保全を視野に入れた開発である。
(57)【要約】【課題】本発明は、身体障害者・要介護老齢者に操作の単純・容易動きで脳活性度・再生化を促し、脳の活性化システムを提供する。【解決手段】前記、障害者の要介護の度合いによって、回動・固定自在によって、脳の活性化・再生を図るべく視覚効果が発揮される。【選択図】なし【特許請求の範囲】
【請求項１】
要介護者対応型視覚装置の脳活性化・癒し効果システムによって揮発され、促進効果を特徴とする。
【請求項２】
公知の視覚による脳活性化による効果は、多種多様・多彩なイメ−ジの揮発促進をすることで得たことを特徴とする。
【請求項３】
本発明による一種類の文様・複数の文様・形の多様等変化万別の形容から一瞬から脳伝達によるフラッシュ作用は、残像・残影の記憶・イメージからの創造促進が得られることを特徴とする。
【請求項４】
請求項３において請求項２と同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、要介護者対応型視覚装置の視覚反応を利用した脳活性化・癒し効果システムに関する。【０００２】上記の視覚反応を利用した脳活性化・癒し効果システムは、自然治癒効果を高めるアイテムが類似し、好ましくは自発促進効果が発揮させる。【０００３】本発明の脳活性化・癒し効果システムは、多様に変化作用と、その形のイメージは、個々人の視覚によって視覚表現が一様の種類から色々の形と光の角度によって変化する色彩が連続多彩に発光するシステム。視覚から脳の活性化促進によって、精神性理学に関するものである。
【背景技術】
【０００４】従来、要介護者対応の視覚反応から脳の活性化・癒し効果に関するものには数が少ない。積極的に効果が追求でき得る脳の活性化・癒し効果促進を望んでいる。
【発明の開示】
【発明が解決しようとする課題】
【０００５】前記従来、要介護者対応に感覚属性に関する分野において、視覚感覚に一様性のない複雑分野のままに、快感による脳の活性化は乏しい。本発明の、要介護者対応型視覚装置の脳活性化・癒し効果システムは、視覚反応の公知、既知物質感覚属性の促進効果の実用化を鑑みることを本発明課題とした。【０００６】本発明は、このような実状に鑑みなされたものであり、身体障害の残るよう要介護者にも自発的動作を促す脳の再生化、脳活動の活性度の包括的把握が可能な一瞬変化の多い特性を有する提供を目的とする。
【課題を解決するための手段】
【０００７】課題を解決するため、本発明は、前記の操作を容易とする多種・多様のイメージによる効果で脳物質に有効揮発効果が得られ、好ましい選択の合理的構成が得られ、この発明に到達した。
【発明の効果】
【０００８】以上のように、身体障害の残る要介護者にも操作が容易な脳活動の減退した脳の再活性化を促しすべき視覚効果が発揮し、脳に無駄なく融合し、汎用される。【０００９】本発明の視覚による脳の活性化は、視覚効用が公知とされている。精神安定効果から癒し自然治癒力を高め、促進することを特徴とする。【００１０】脳への揮発促進は、本発明の共通特性を有する成形としてなることを特徴とする。
【発明を実施するための最良の形態】
【００１１】本発明の要介護者対応型視覚装置の脳活性化・癒し効果システムを発揮し得ることを図ることの汎用性。つまり、本発明によって好ましい脳の活性効果が得られる。【００１２】なお、本発明は上記技術の実施に限定されるものではなく、趣旨を逸脱しない種々範囲の変更は、本発明に含まれる。
【産業上の利用可能性】
【００１３】本発明を用いて脳の活性促進をすることで、精神性理学に関することから、癒しの効果、自然治癒等の臨床効果に係わる。【００１４】上記、本発明を発揮促進することで、さらに、汎用性の効果が得られ、産業上の利用可能性を有する。
(57)【要約】【課題】本発明の、すれきず・床ずれ防止パッド使用によって、快適な暮らしができ、良質な休息・睡眠が取れることの提案である。【解決手段】その為に、安全、安心が得られるように、多機能性を考慮し、しかも安価に提供する。多目的・多様化の汎用活用によって、介護、看護、看病においての負担を軽減する。使用後における、すれきず・床ずれ防止パッドの廃棄処分によって、生分解を有する有害物の排出を抑え、感染症・院内感染症を防ぎ、環境問題を配慮したことを特徴とする。【選択図】なし【特許請求の範囲】
【請求項１】
植物焼成粒・籾殻焼成粒・珪藻土焼成粒を素材に含む、すれきず・床ずれ防止パットを備えてなる、すれきず・床ずれ防止パッド。
【請求項２】
請求項１の、すれきず・床ずれ防止パッドを、汎用の袋状の形状にしたことを特徴とする。
【請求項３】
請求項１の素材を単一・複合化合とした、すれきず・床ずれ防止パッドを用途に合わせた形状にしたことを特徴とする。
【請求項４】
請求項１，２，３、の多孔質の集合体等の素材を適した表生地に備え、請求項１から４に類した発明を、多目的・多様化に汎用活用を可能とする。同等の効果・成果が得られる本発明趣旨の逸脱しない範囲の変更は、本発明に含まれることをできることを特徴とする。
【発明の詳細な説明】
【技術分野】
【０００１】本発明は、長期間の寝たきりによって発症する、すれきず・床ずれ発生の防止、すでに発生している、すれきず・床ずれの保護、治癒に関する。
【背景技術】
【０００２】寝たきりによって発症する、すれきず・床ずれは、介護、看護、看病いかんによって発生防止ができると認識されている。それだけに、患者へのマッサージ、寝返りを数回繰り返し実施し発生防止に努力をしている。従来、ムートン、ウレタン、空気を入れたクッション，ドウナツ状に工夫された床ずれ防止パッド等が使用されている。
しかし、製造工程において設計、部材、型材と製作技術がかかり高額なものになっている。
【発明の開示】
【発明が解決しようとする課題】
【０００３】本発明は、上記、従来機能の身体重量緩和による患部の保護具にとどまらず、自分に合った好みの高さ、形状の自在を可能としたことにある。
快適な姿勢でもって、保温、保湿性，消臭、通気性、放熱性にも優れ、保熱効果、空気清浄効果メカニズムの天然素材の植物焼成粒・籾殻焼成粒・セラミック焼成粒を取り入れた適度な感触素材の、すれきず・床ずれ防止パッドである。
本素材は、安定供給の確保ができ、しかも製造コストが安価で・安全・安心を提供する。
【課題を解決するための手段】
【０００４】本発明は、従来、洗濯して何度も使用する高額な、すれきず・床ずれ防止パッドから、感染対策に優れた使い捨てに対応できる衛生重視の安価な、しかも廃棄処分においても有害物を排出せず、生分解を有する環境に優しい、すれきず・床ずれ防止パッドであり環境保護に資するものである。
植物焼成粒・籾殻焼成粒・セラミック焼成粒は、細孔の目詰まりは無く、孔の中に更に孔があり、天然素材の超微細・多孔を有している。
寝具生地の綿素材を使用し、サイズを任意にとれることから使用範囲が広まる。
すれきず・床ずれ防止パッドの表・裏の両面使用を可能にしたことを特徴とした。
（効能）
吸湿性がよい。放熱性がよい。通気性がよい。弾力性があり寝心地がよい。汗を発散させ寝心地がよい。坊ダニ・抗菌・坊カビ作用がある。調湿・防湿・消臭効果がある。
（手入れ方法）
吸湿性に富んでいることから、こまめに日光乾燥をすることにより、快適に活用できる。
（特色）
両面使用ができる。
通気性がよく衛生的。
サイズ調整が自在可能。
（構造）
多孔質の集合体素材を１００パーセント使用した。
表生地は、綿１００パーセント使用で寝具に適している。
パッド使用なので用材の使用量によって、サイズ調整が可能。
睡眠時に保温性・保湿性が十分でないと、体内バランスが壊れ、体調不良・機能低下を招くおそれがある。
【発明の効果】
【０００５】本発明は、メッシュの整った粒状の体圧バランスを視野に入れた、すれきず・床ずれ防止パッドであり、寝ている間にパッドがしっくりなじみ、痛みを和らげる。
患部に汗・血・体液等により繁殖する細菌から、すれきず・床ずれ発症を防ぎ、発症の予防をする。
よって、介護・看護・看病の負担軽減ができることを特徴とした。【０００６】本発明の、すれきず・床ずれ防止パッドは、汚れを洗濯して継続使用をすることなく、そのまま廃棄処分をすることにより感染症・院内感染を防ぐことができる。【０００７】本発明の、すれきず・床ずれ防止パッドの取り扱い性が向上する。【０００８】保健衛生環境に貢献できる。
【発明を実施するための最良の形態】
【０００９】本発明は、すれきず・床ずれの発症し易い箇所や患部に使用する事で、箇所や患部に体重が集中することなく、しっくり馴染み安定した状態を保つ事ができる。【００１０】本発明の、すれきず・床ずれ防止パッドは、皮膚に直接ふれても違和感のない素材にしたことを特徴とする。【００１１】ベッドの使用時、車椅子の使用時においても、すれきず・床ずれ防止パッドを当てる事により、発生を防ぎ、床ずれの発症している床ずれの保護をすることを特徴とする。【００１２】床ずれ防止パッドは、患者の希望する箇所に使用することによって、患部に限らず心地よいすごし方ができることを特徴とする。【００１３】すれきず・床ずれ防止パッドを、かける・敷くことができる仕様にしたことを特徴とする。
【産業上の利用可能性】
【００１４】本発明は、植物焼成粒・籾殻焼成粒・セラミック焼成粒を素材とし、その特性を活用した、すれきず・床ずれ防止パッドの開発である。
素材の特長は、木炭の数千倍という超多孔質でしかも超細孔を保持し、軽さは、かさ比重０，２４・気孔率９０パーセント・ＳｉＯ２は９５．４２％と他の素材に類がなく、多孔性によって、吸湿性・放湿性に富み・消臭・空気清浄・保温効果があることから快適な休息・睡眠を取ることができる。
(57)【要約】【課題】本発明は、緊急事態における防水・水質事故・油類事故等、水中又は陸上の油液を水と親和性を有せず、油類の吸油効率、効果を発揮し、さらに、悪臭の消臭に優れた油液吸着シート・マット組成の製造を提供することを目的とする。【解決手段】本発明は、産業廃棄物の珪藻土粕、ゼオライト粕、廃ガラス発泡・おが屑の多孔質に液体を吸着させることにより液体が多孔質体に付着することで製造できるシート、マットの組成物を提供する。農業廃棄物の籾殻・米糠・大豆・フスマ等からの多孔質に油液吸着させることにより油液が多孔質体に付着することで製造できるシート、マット組成物を提供する。【選択図】なし【特許請求の範囲】
【請求項１】
多孔質の珪藻土粕、ゼオライト粕、廃ガラス発泡・籾殻破砕・おが屑等の産業廃棄物を熱可塑性樹脂のシート、マットに吸油組成成形物とした緊急防水・緊急水質事故・緊急油類事故等の吸着材。
【請求項２】
前記資材を熱可塑性樹脂のシート、マットに吸水・吸油組成成形物とした吸着材。
【請求項３】
前記熱可塑性樹脂は、不織布、ポリエステル、ポリプロレン、ポリエチレン等の一種類、又は、一種類以上を有する吸油シート、マットの組成物。
【請求項４】
請求項１，２，３の吸着材の一種類、又は、一種類以上を有する一体成形物の吸着材。吸着材の形状は、袋体スタイル、バラケ配施等において、本発明趣旨を逸脱しない範囲の変更は、本発明に含まれる。
【発明の詳細な説明】
【技術分野】
【０００１】本発明は、土を使用しない土嚢を防水・水害・油液事故にスピード対応で河川、池、沼、海等における流出事故が生じている。油の回収方法として濾過技術で油分を吸着している。珪藻土、ゼオライト、ガラス発泡・籾殻・おが屑等の多孔質体を特徴とした天然素材の環境利用と産業利用がなされる。【０００２】上記の吸着シート、マットを用途に応じて環境利用の汎用に使用し、産業利用を提供する。
【背景技術】
【０００３】細孔構造を多く持つ多孔質体は吸着性が強い。【０００４】油液吸着素材をシート、マット状態に成形利用においては、吸着用材を上記細孔構造を持つ多孔質体が利用されている。
【発明の開示】
【発明が解決しようとする課題】
【０００５】油液流出事故などに用いられる吸着材は、化学製品である場合に使用前の在庫時や使用後の処理に経済上および環境上の難点がある。【０００６】市販されている油類吸着材を大量使用に活用する場合は、上記記載のような難点が生じ対策が必要である。【０００７】天然素材の廃棄物の多孔質珪藻土粕、ゼオライト粕、ガラス製品のガラス発泡材・籾殻破砕・おが屑等を用材基材に活用する。さらに、農業廃棄物の米糠、籾殻、大豆殻、フスマ等に微細孔の多孔質を有していることから、素材の一種類、又は二種類以上を油類吸着シート、マットに含有使用、活用の効果が発揮される。環境に優しい、安心、安全、しかも、廃棄物の利活用なので、低原価で量産可能な油類吸着シート、油類吸着マットが提供できる。
【課題を解決するための手段】
【０００８】本発明は、上記目的を達成し、微細孔を有した多孔質体に液体を含浸し、液体吸着シート、マット、袋状態に保持することで細孔構造部分に油類を付着させることにより多孔質体を基材とした吸着シート、吸着マットの製造が出来る。【０００９】吸着材となる本発明における浄化機能は表面積の大きさが塩素除去機能、除菌機能、消毒、消臭機能とその効果の活用を特徴とした。
【発明の効果】
【００１０】本発明は、廃棄物の珪藻土粕、ゼオライト粕、廃ガラス発泡・籾殻破砕・おが屑等の多孔質と表面積の大きさの特徴を活用とした。吸着シート、マットに付着させる技術は高性能が発揮され、経済負担も少なく、しかも製造工程は特別な技術を要しないのが特徴。【００１１】本発明の吸着材は、産業廃棄物・農業廃棄物の多孔質体に含浸させ、微細孔を組成している液類の保持能力，吸油率に優れた効果を発揮できることから、物理的な圧縮技術でもって、容易に液体回収を可能とし、用途の範囲は広く、環境浄化に取り組むことができる。【００１２】本発明の吸着材のシート、マットの内在材は、微細孔組成の多孔質体は、産業に伴う廃棄物並びに農業廃棄物を用いることから安定供給が可能であり、しかも安価である。【００１３】本発明の原料は天然素材の産業廃棄物や農業廃棄物を素材としていることから、有害物質は発生しない。【００１４】他に油液吸着シート、マットの組成物に米糠、大豆、籾殻等の繊維質の微細孔が油分を吸収、保持の機能がある。本発明の  製造技術は単純であり高度技術を要しない。しかも先進的な環境浄化とリサイクルに貢献する。
【発明を実施するための最良の形態】
【００１５】本発明品は、微細孔部を成形し汎用性のある液体吸着作用を有する。【００１６】液体吸着成形のシート、マットの素材は不織布、ポリエステル、ポリプロレン、ポリエチレン等の一種類又は一種類以上の構成は、耐候性、耐久性の向上作用を有し、吸着する用途の対応形態である。【００１７】多孔質体に液体を含浸させることの汎用性を可能とした液体吸着シート、マットの製造技術は、単純さと合理的な成形を特徴とする。【００１８】この実施例については多孔質体の細孔構造や表面化学特性の部分に付着とした特異性の吸着材であり、浄化装置に関する技術を特徴とする。
【産業上の利用可能性】
【００１９】緊急防水・水害・廃油吸着前の素材自体が交通事故や災害、工場での事故などから発生する油の流出事故や化学液体流出事故などの緊急時の油液吸着シート、マットとして利用できることから在庫自体が緊急用の備えとなる。【００２０】液体である油の常温固化が可能であるため運搬や工程、取扱に有用に活用できる。【００２１】機械のある工場や、車の整備場、ガソリンスタンドなど油の流出が常時起きる場所では常備することで環境に負荷を与えない。【００２２】環境の負荷を考慮した本発明は、鉱物系の油分吸着済みを燃料としての熱量への利用や、第二段階の炭化済み素材を炉の高温化への利用、第三に燃焼残渣を再度吸着材として汎用利用ができる。